(57)【特許請求の範囲】
【請求項１】
参照信号を生成する参照信号生成器であって、
第１のリソースブロックの参照信号のための系列を生成する系列生成器、
第１の符号グループを用いることにより、前記第１のリソースブロックの第１の周波数リソースにマッピングされるべき前記第１のリソースブロックの参照信号のための前記系列の要素のスペクトラムを拡散する第１のスペクトラム拡散ユニット、
第２の符号グループを用いることにより、前記第１のリソースブロックの第２の周波数リソースにマッピングされるべき前記第１のリソースブロックの参照信号のための前記系列の要素のスペクトラムを拡散する第２のスペクトラム拡散ユニットであって、前記第１及び第２の周波数リソースは、第１のリソースブロックで参照信号の送信に用いられる周波数リソース要素のうちの隣接する周波数リソースであり、前記第１及び第２の符号グループは互いに列がミラーである、第２のスペクトラム拡散ユニット、
第３の符号グループを用いることにより、前記第１のリソースブロックの第３の周波数リソースにマッピングされるべき前記第１のリソースブロックの参照信号のための前記系列の要素のスペクトラムを拡散する第３のスペクトラム拡散ユニット、
第４の符号グループを用いることにより、前記第１のリソースブロックの第４の周波数リソースにマッピングされるべき前記第１のリソースブロックの参照信号のための前記系列の要素のスペクトラムを拡散する第４のスペクトラム拡散ユニットであって、前記第３及び第４の周波数リソースは、第１のリソースブロックで参照信号の送信に用いられる周波数リソース要素のうちの隣接する周波数リソースであり、前記第３及び第４の符号グループは互いに列がミラーである、第４のスペクトラム拡散ユニット、
前記第１及び第２のスペクトラム拡散ユニットによりスペクトラム拡散された要素をそれぞれ前記第１のリソースブロックの前記第１及び第２の周波数リソースにマッピングし、前記第３及び第４のスペクトラム拡散ユニットによりスペクトラム拡散された要素をそれぞれ前記第１のリソースブロックの前記第３及び第４の周波数リソースにマッピングするマッピングユニット、
を有し、
前記第３及び第４の符号グループのうちの１つは、前記第１及び第２の符号グループのうちの１つに列ベクトル循環シフトを実行することにより形成され、同一の列ベクトルは、前記第１乃至第４の符号グループにおいて異なる列シリアル番号を有する、参照信号生成器。
【請求項２】
参照信号を生成する参照信号生成器であって、
第１のリソースブロック及び第２のリソースブロックの参照信号のための系列を生成する系列生成器、
第１の符号グループを用いることにより、前記第１のリソースブロックの第１の周波数リソースにマッピングされるべき前記系列の要素のスペクトラムを拡散する第１のスペクトラム拡散ユニット、
第２の符号グループを用いることにより、前記第１のリソースブロックの第２の周波数リソースにマッピングされるべき前記系列の要素のスペクトラムを拡散する第２のスペクトラム拡散ユニットであって、前記第１及び第２の周波数リソースは、前記第１のリソースブロックの参照信号の送信に用いられる周波数リソース要素のうちの隣接する周波数リソースであり、前記第１及び第２の符号グループは互いに列がミラーである、第２のスペクトラム拡散ユニット、
前記第１及び第２のスペクトラム拡散ユニットによりスペクトラム拡散された要素をそれぞれ前記第１のリソースブロックの前記第１及び第２の周波数リソースにマッピングするマッピングユニット、
を有し、
前記第１のスペクトラム拡散ユニットは、第３の符号グループを用いることにより、前記第２のリソースブロックの第１の周波数リソースにマッピングされるべき前記系列の要素のスペクトラムを拡散し、
前記第２のスペクトラム拡散ユニットは、第４の符号グループを用いることにより、前記第２のリソースブロックの第２の周波数リソースにマッピングされるべき記系列の要素のスペクトラムを拡散し、前記第２のリソースブロックの前記第１及び第２の周波数リソースは、前記第２のリソースブロックの参照信号の送信に用いられる周波数リソース要素のうちの隣接する周波数リソースであり、前記第１のリソースブロックの参照信号に用いられる周波数リソースと前記第２のリソースブロックの参照信号に用いられる周波数リソースとは、互いに隣接し、
前記第３及び第４の符号グループは互いに列がミラーであり、
前記マッピングユニットは、前記第１及び第２のスペクトラム拡散ユニットによりスペクトラム拡散された前記第２のリソースブロックの参照信号のための系列の要素をそれぞれ前記第２のリソースブロックの前記第１及び第２の周波数リソースにマッピングし、前記第３及び第４の符号グループのうちの１つは、前記第１及び第２の符号グループのうちの１つに列ベクトル循環シフトを実行することにより形成される、
参照信号生成器。
【請求項３】
前記第１のスペクトラム拡散ユニットは、第５の符号グループを用いることにより、前記第２のリソースブロックの第１の周波数リソースにマッピングされるべき前記第２のリソースブロックの参照信号のための前記系列の要素のスペクトラムを拡散し、
前記第２のスペクトラム拡散ユニットは、第６の符号グループを用いることにより、前記第２のリソースブロックの第２の周波数リソースにマッピングされるべき前記第２のリソースブロックの参照信号のための前記系列の要素のスペクトラムを拡散し、前記第２のリソースブロックの前記第１及び第２の周波数リソースは、前記第２のリソースブロックで参照信号の送信に用いられる周波数リソース要素のうちの隣接する周波数リソースであり、前記第５及び第６の符号グループは互いに列がミラーであり、
前記第３のスペクトラム拡散ユニットは、第７の符号グループを用いることにより、前記第２のリソースブロックの第３の周波数リソースにマッピングされるべき前記第２のリソースブロックの参照信号のための前記系列の要素のスペクトラムを拡散し、
前記第４のスペクトラム拡散ユニットは、第８の符号グループを用いることにより、前記第２のリソースブロックの第４の周波数リソースにマッピングされるべき前記第２のリソースブロックの参照信号のための前記系列の要素のスペクトラムを拡散し、前記第２のリソースブロックの前記第３及び第４の周波数リソースは、前記第２のリソースブロックで参照信号の送信に用いられる周波数リソース要素のうちの隣接する周波数リソースであり、前記第７及び第８の符号グループは互いに列がミラーであり、
前記マッピングユニットは、前記第１乃至第４のスペクトラム拡散ユニットによりスペクトラム拡散された前記第２のリソースブロックの参照信号のための系列の要素をそれぞれ前記第２のリソースブロックの前記第１乃至第４の周波数リソースにマッピングする、
請求項１に記載の参照信号生成器。
【請求項４】
同一の列ベクトルは、前記第５乃至第８の符号グループにおいて異なる列シリアル番号を有し、前記第５及び第６の符号グループのうちの１つは、前記第１及び第２の符号グループのうちの１つに第１の変位だけ列ベクトル循環シフトを実行することにより形成され、前記第７及び第８の符号グループのうちの１つは、前記第１及び第２の符号グループのうちの１つに第２の変位だけ列ベクトル循環シフトを実行することにより形成される、請求項３に記載の参照信号生成器。
【請求項５】
参照信号を生成する参照信号生成方法であって、
第１のリソースブロックの参照信号のための系列を生成する系列生成ステップ、
第１の符号グループを用いることにより、前記第１のリソースブロックの第１の周波数リソースにマッピングされるべき前記第１のリソースブロックの参照信号のための前記系列の要素のスペクトラムを拡散する第１のスペクトラム拡散ステップ、
第２の符号グループを用いることにより、前記第１のリソースブロックの第２の周波数リソースにマッピングされるべき前記第１のリソースブロックの参照信号のための前記系列の要素のスペクトラムを拡散する第２のスペクトラム拡散ステップであって、前記第１及び第２の周波数リソースは、第１のリソースブロックで参照信号の送信に用いられる周波数リソース要素のうちの隣接する周波数リソースであり、前記第１及び第２の符号グループは互いに列がミラーである、第２のスペクトラム拡散ステップ、
第３の符号グループを用いることにより、前記第１のリソースブロックの第３の周波数リソースにマッピングされるべき前記第１のリソースブロックの参照信号のための前記系列の要素のスペクトラムを拡散する第３のスペクトラム拡散ステップ、
第４の符号グループを用いることにより、前記第１のリソースブロックの第４の周波数リソースにマッピングされるべき前記第１のリソースブロックの参照信号のための前記系列の要素のスペクトラムを拡散する第４のスペクトラム拡散ステップであって、前記第３及び第４の周波数リソースは、第１のリソースブロックで参照信号の送信に用いられる周波数リソース要素のうちの隣接する周波数リソースであり、前記第３及び第４の符号グループは互いに列がミラーである、第４のスペクトラム拡散ステップ、
前記第１及び第２のスペクトラム拡散ステップによりスペクトラム拡散された要素をそれぞれ前記第１のリソースブロックの前記第１及び第２の周波数リソースにマッピングし、前記第３及び第４のスペクトラム拡散ステップによりスペクトラム拡散された要素をそれぞれ前記第１のリソースブロックの前記第３及び第４の周波数リソースにマッピングするマッピングステップ、
を有し、
前記第３及び第４の符号グループのうちの１つは、前記第１及び第２の符号グループのうちの１つに列ベクトル循環シフトを実行することにより形成され、同一の列ベクトルは、前記第１乃至第４の符号グループにおいて異なる列シリアル番号を有する、参照信号生成方法。
【請求項６】
前記系列生成ステップは、第２のリソースブロックの参照信号のための系列を生成し、前記第１のリソースブロックの参照信号に用いられる周波数リソースと前記第２のリソースブロックの参照信号に用いられる周波数リソースとは、互いに隣接し、
前記第１のスペクトラム拡散ステップは、第５の符号グループを用いることにより、前記第２のリソースブロックの第１の周波数リソースにマッピングされるべき前記第２のリソースブロックの参照信号のための前記系列の要素のスペクトラムを拡散し、
前記第２のスペクトラム拡散ステップは、第６の符号グループを用いることにより、前記第２のリソースブロックの第２の周波数リソースにマッピングされるべき前記第２のリソースブロックの参照信号のための前記系列の要素のスペクトラムを拡散し、前記第２のリソースブロックの前記第１及び第２の周波数リソースは、前記第２のリソースブロックで参照信号の送信に用いられる周波数リソース要素のうちの隣接する周波数リソースであり、前記第５及び第６の符号グループは互いに列がミラーであり、
前記第３のスペクトラム拡散ステップは、第７の符号グループを用いることにより、前記第２のリソースブロックの第３の周波数リソースにマッピングされるべき前記第２のリソースブロックの参照信号のための前記系列の要素のスペクトラムを拡散し、
前記第４のスペクトラム拡散ステップは、第８の符号グループを用いることにより、前記第２のリソースブロックの第４の周波数リソースにマッピングされるべき前記第２のリソースブロックの参照信号のための前記系列の要素のスペクトラムを拡散し、前記第２のリソースブロックの前記第３及び第４の周波数リソースは、前記第２のリソースブロックで参照信号の送信に用いられる周波数リソース要素のうちの隣接する周波数リソースであり、前記第７及び第８の符号グループは互いに列がミラーであり、
前記マッピングステップは、前記第１乃至第４のスペクトラム拡散ステップによりスペクトラム拡散された前記第２のリソースブロックの参照信号のための系列の要素をそれぞれ前記第２のリソースブロックの前記第１乃至第４の周波数リソースに更にマッピングする、
請求項５に記載の参照信号生成方法。
【請求項７】
同一の列ベクトルは、前記第５乃至第８の符号グループにおいて異なる列シリアル番号を有し、前記第５及び第６の符号グループのうちの１つは、前記第１及び第２の符号グループのうちの１つに第１の変位だけ列ベクトル循環シフトを実行することにより形成され、前記第７及び第８の符号グループのうちの１つは、前記第１及び第２の符号グループのうちの１つに第２の変位だけ列ベクトル循環シフトを実行することにより形成される、請求項６に記載の参照信号生成方法。
【請求項８】
前記第１及び第２の符号グループは、共に、Ｗａｌｓｈ符号系列又はフーリエ変換系列である、請求項５に記載の参照信号生成方法。
【請求項９】
基本直交符号のグループを得る基本直交符号取得装置、
前記基本直交符号取得装置により生成された前記基本直交符号に列のミラーリングを実行して第１の基本直交符号グループペアを得て、列循環シフトユニットにより循環シフトの行われた基本直交符号に列の循環ミラーリングを更に実行して第２の符号グループペアを得るミラーリングユニット、
前記基本直交符号取得装置により生成された前記基本直交符号に列ベクトル循環シフトを実行する列循環シフトユニットであって、前記列ベクトル循環シフトの変位は可変である、列循環シフトユニット、
前記列循環シフトユニット及びマッピングユニットを制御し、列シリアル番号により区別可能な符号グループペアのグループを得るグループペアのグループ取得ユニットであって、同一の列は異なる符号グループにおいて異なるシリアル番号を有する、グループペアのグループ取得ユニット、
を有する符号生成装置。
【発明の詳細な説明】
【技術分野】
【０００１】
本発明は、無線通信システムの伝送技術に関し、より詳細には、ＬＴＥ（Long  Term  Evolution）及びＬＴＥ−Ａ（Long  Term  Evolution-Advanced）システムで用いられる符号生成装置、参照信号生成装置、及びそれらの方法に関する。
【背景技術】
【０００２】
３ＧＰＰのＬＴＥ−Ａ（Long  Term  Evolution-Advanced）次世代無線通信システムは、ダウンリンクが１Ｇｐｓのピークレート及び３０ｂｐｓ／Ｈｚのピークスペクトル効率を提供することを要求する。これは、システムの物理層の伝送スキームに課題を引き起こす。ＭＩＭＯ（multiple  input  multiple  output）マルチアンテナシステムは、並列データストリームの伝送に対応し、それによりシステムのスループットを大幅に向上している。一般的な環境では、先ず、独立した前方誤り訂正コードのエンコーディングが、マルチアンテナシステムで送信されるデータストリームに並列に実行され、次に、エンコーディングされたコードワードが、１又は複数のデータ伝送レイヤにマッピングされる。コードワードが複数の伝送レイヤにマッピングされるとき、エンコーダから出力されたシリアルデータを対応する複数のレイヤに変換すれば十分である。１回の送信でシステムによりサポートされるレイヤの総数は、送信のランクとも表される。各レイヤのデータを各物理アンテナのデータに変換する目的は、信号のプリコーディング処理と呼ばれる。ＬＴＥ−Ａ  Ｒｅｌ−１０は、最大でランク８のプリコーディング技術に対応する。
【０００３】
受信端末がＭＩＭＯデコーディング及び関連する復調を実行するために、送信側はチャネルを推定するためのパイロット系列、つまり復調参照信号（以下、「ＤＭＲＳ」と表す）を送信する必要がある。ＤＭＲＳの設計は、データ伝送レイヤの対応するＤＭＲＳが互いに直交するようにする、つまり、送信アンテナのプリコーディングされたチャネルと等価なチャネルが干渉を受けないようにする必要がある。Ｒｅｌ−１０システムでは、データ伝送レイヤの対応するＤＭＲＳは、周波数分割多重（frequency  division  multiplexing：FDM）及び／又は符号分割多重（code  division  multiplexing：CDM）モードにより区別される。符号分割多重は、直交カバーコード（以下、「ＯＣＣ」と表す）系列を通じて理想的な相関を有するスペクトラム拡散系列により実現される。ＯＣＣ系列は、通常、Ｗａｌｓｈ系列又は離散フーリエ変換（ＤＦＴ）系列である。
【０００４】
発明者等は、本発明の過程において、ＯＣＣ系列が時間領域にマッピング（スペクトラム拡散）された場合、通常、カバーコード系列に対応する物理資源のチャネルが同一であると推定されることを見出した。スペクトラム拡散系列の拡散率をＭとすると、Ｍ個のＯＦＤＭシンボルのチャネル応答は同一であると考えられる。このような仮定は、低速な動きの環境でのみ真である。移動局の動きの速度が増大すると、Ｍ個のＯＦＤＭシンボルのチャネル応答の変化も相応して増大し、スペクトラム拡散コードの直交性は損なわれ、それによりデータ伝送レイヤ同士は互いに干渉し、チャネル推定の正確さが低減する。
【０００５】
さらに、Ｒｅｌ−１０システムでは、ＤＭＲＳは、データと同一のプリコーディング処理を受け、送信アンテナにマッピングされる。プリコーディング処理は、符号分割多重されたデータ伝送レイヤに対応するＤＭＲＳが線形にスタックされるようにし、Ｍ個のデータ伝送レイヤに対応するＤＭＲＳが同一方向にスタックされるとき、振幅Ｍを有する信号が得られ、Ｍ個のデータ伝送レイヤに対応するＤＭＲＳが反対方向にスタックされるとき、それらが互いに打ち消し合って振幅ゼロを有する信号が得られるようにする。このような各送信アンテナのパワーの不平衡は、全周波数領域の帯域に渡って生じ、送信パワーの効率は著しく低下してしまう。
【０００６】
留意すべきことは、上述の冒頭の背景は、本発明の技術的解決策の説明を明確且つ包括的にするために、及び当業者に理解しやすくするために提示されただけであることである。これらの解決策が本発明の関連技術の背景に記載されたことのみにより、これらの解決策が当業者に周知であると考えられるべきではない。
【０００７】
本発明の先行文献は、以下に列挙される。これらの文献は、参照されることにより、本発明の詳細な説明に記載されたものとして本願明細書に組み込まれる。
【先行技術文献】
【特許文献】
【０００８】
【特許文献１】国際公開第２００９０５６４６４  Ａ１号パンフレット
【特許文献２】国際公開第２００９０２２２９３  Ａ２号パンフレット
【特許文献３】米国特許公開公報第２００９０４６６４６  Ａ１号明細書
【特許文献４】米国特許公開公報第２００９０２０９２６４  Ａ１号明細書
【特許文献５】米国特許公開公報第２００９０１００９１７号明細書
【特許文献６】米国特許公開公報第２００２００１５４３７  Ａ１号明細書
【発明の概要】
【課題を解決するための手段】
【０００９】
上述の従来技術の欠点に鑑み、本発明の実施形態は、１又は複数の従来技術の問題を除去又は軽減し、少なくとも１つの有利な選択肢を提供する。上述の目的を達成するため、本発明は、以下の態様を提案する。
【００１０】
態様１：ＲＳを生成する参照信号（ＲＳ）生成器であって、前記生成器は、第１のリソースブロックのＲＳのための無相関系列を生成する無相関系列生成器、第１の符号グループを用いて、前記第１のリソースブロックの第１の周波数リソースにマッピングされるべき前記第１のリソースブロックのＲＳのための無相関系列の要素のスペクトラムを拡散する第１のスペクトラム拡散ユニット、第２の符号グループを用いて、前記第１のリソースブロックの第２の周波数リソースにマッピングされるべき前記第１のリソースブロックのＲＳのための無相関系列の要素のスペクトラムを拡散する第２のスペクトラム拡散ユニットであって、前記第１及び第２の周波数リソースは、第１のリソースブロックにおいてＲＳ送信に用いられる周波数リソース要素のうちの隣接する周波数リソースであり、前記第１及び第２の符号グループは互いに列がミラーである、第２のスペクトラム拡散ユニット、前記第１及び第２のスペクトラム拡散ユニットによりスペクトラム拡散された要素をそれぞれ前記第１のリソースブロックの前記第１及び第２の周波数リソースにマッピングするマッピングユニット、を有する。周波数リソースは、１つのサブキャリアで、連続する２つのリソース要素の２つの対を有する。
【００１１】
態様２：第３の符号グループを用いて、第３の周波数リソースにマッピングされるべき第１のリソースブロックのＲＳのための無相関系列の要素のスペクトラムを拡散する第３のスペクトラム拡散ユニット、第４の符号グループを用いて、第４の周波数リソースにマッピングされるべき前記第１のリソースブロックのＲＳのための無相関系列の要素のスペクトラムを拡散する第４のスペクトラム拡散ユニット、を有し、前記第３及び第４の周波数リソースは、前記第２のリソースブロックにおいてＲＳ送信に用いられる周波数リソース要素のうちの隣接する周波数リソースであり、前記第３及び第４の符号グループは互いに列がミラーであり、前記マッピングユニットは、前記第３及び第４のスペクトラム拡散ユニットによりスペクトラム拡散された要素をそれぞれ前記第３及び第４の周波数リソースにマッピングする、態様１に記載のＲＳ生成器。
【００１２】
態様３：前記第３及び第４の符号グループのうちの１つは、前記第１及び第２の符号グループのうちの１つに列ベクトル循環シフトを実行することにより形成される、態様２に記載のＲＳ生成器。
【００１３】
態様４：同一の列ベクトルは、前記第１乃至第４の符号グループにおいて異なる列シリアル番号を有する、態様３に記載のＲＳ生成器。
【００１４】
態様５：前記無相関系列生成器は、第２のリソースブロックのＲＳのための無相関系列を生成し、前記第１のリソースブロックのＲＳに用いられる周波数リソース及び前記第２のリソースブロックのＲＳに用いられる周波数リソースは、互いに隣接し、前記第１のスペクトラム拡散ユニットは、第１の符号グループを用いることにより、前記第２のリソースブロックの第１の周波数リソースにマッピングされるべき前記第２のリソースブロックのＲＳのための前記無相関系列の要素のスペクトラムを拡散し、前記第２のスペクトラム拡散ユニットは、第２の符号グループを用いることにより、前記第２のリソースブロックの第２の周波数リソースにマッピングされるべき前記第２のリソースブロックのＲＳのための前記無相関系列の要素のスペクトラムを拡散し、前記第２のリソースブロックの前記第１及び第２の周波数リソースは、前記第２のリソースブロックでＲＳ送信に用いられる周波数リソース要素のうちの隣接する周波数リソースであり、前記マッピングユニットは、前記第１及び第２のスペクトラム拡散ユニットによりスペクトラム拡散された前記第２のリソースブロックのＲＳのための無相関系列の要素をそれぞれ前記第２のリソースブロックの前記第１及び第２の周波数リソースに更にマッピングし、前記第２のリソースブロックの前記第１の周波数リソースは、前記第１のリソースブロックの前記第１の周波数リソース又は前記第２の周波数リソースに対応し、前記第２のリソースブロックの前記第２の周波数リソースは、前記第１の周波数ブロックの前記第２の周波数リソース又は前記第１の周波数リソースに対応し、前記第１のリソースブロックでＲＳ送信に用いられる周波数リソース要素のうちの隣接する周波数リソースにマッピングされるべき前記第１のリソースブロックのＲＳのための無相関系列の要素及び／又は前記第２のリソースブロックのＲＳのための無相関系列の要素は、それぞれ前記第１のリソースブロック及び前記第２のリソースブロックにおいて、第１の符号グループ及び第２の符号グループによりスペクトラム拡散される、態様１に記載のＲＳ生成器。
【００１５】
態様６：前記無相関系列生成器は、第２のリソースブロックのＲＳのための無相関系列を生成し、前記第１のリソースブロックのＲＳに用いられる周波数リソース及び前記第２のリソースブロックのＲＳに用いられる周波数リソースは、互いに隣接し、前記第１のスペクトラム拡散ユニットは、第３の符号グループを用いることにより、前記第２のリソースブロックの第１の周波数リソースにマッピングされるべき前記第２のリソースブロックのＲＳのための前記無相関系列の要素のスペクトラムを拡散し、前記第２のスペクトラム拡散ユニットは、第４の符号グループを用いることにより、前記第２のリソースブロックの第２の周波数リソースにマッピングされるべき前記第２のリソースブロックのＲＳのための前記無相関系列の要素のスペクトラムを拡散し、前記第２のリソースブロックの前記第１及び第２の周波数リソースは、前記第２のリソースブロックでＲＳ送信に用いられる周波数リソース要素のうちの隣接する周波数リソースであり、前記第４及び第３の符号グループは互いに列がミラーであり、前記マッピングユニットは、前記第１及び第２のスペクトラム拡散ユニットによりスペクトラム拡散された前記第２のリソースブロックのＲＳのための無相関系列の要素をそれぞれ前記第２のリソースブロックの前記第１及び第２の周波数リソースにマッピングし、前記第２のリソースブロックの前記第１の周波数リソースは、前記第１のリソースブロックの前記第１の周波数リソース又は前記第２の周波数リソースに対応し、前記第２のリソースブロックの前記第２の周波数リソースは、前記第１のリソースブロックの前記第２の周波数リソース又は前記第１の周波数リソースに対応し、前記第１のリソースブロックでＲＳ送信に用いられる周波数リソース要素のうちの隣接する周波数リソースにマッピングされるべき前記第１のリソースブロックのＲＳのための無相関系列の要素及び／又は前記第２のリソースブロックのＲＳのための無相関系列の要素は、それぞれ第１の符号グループ及び第２の符号グループによりスペクトラム拡散され、前記第２のリソースブロックでＲＳ送信に用いられる周波数リソース要素のうちの隣接する周波数リソースにマッピングされるべき前記第１のリソースブロックのＲＳのための無相関系列の要素及び／又は前記第２のリソースブロックのＲＳのための無相関系列の要素は、それぞれ前記第１のリソースブロック及び前記第２のリソースブロックにおいて、前記第３の符号グループ及び前記第４の符号グループによりスペクトラム拡散され、前記第４及び第３の符号グループのうちの１つは、前記第１及び第２の符号グループのうちの１つに列ベクトル循環シフトを実行することにより形成される、態様１に記載のＲＳ生成器。
【００１６】
態様７：同一の列ベクトルは、前記第１乃至第４の符号グループにおいて異なる列シリアル番号を有する、態様６に記載のＤＭＲＳ生成器。
【００１７】
態様８：前記無相関系列生成器は、第２のリソースブロックのＲＳのための無相関系列を生成し、前記第１のリソースブロックのＲＳに用いられる周波数リソース及び前記第２のリソースブロックのＲＳに用いられる周波数リソースは、互いに隣接し、前記第１のスペクトラム拡散ユニットは、第５の符号グループを用いることにより、前記第２のリソースブロックの第１の周波数リソースにマッピングされるべき前記第２のリソースブロックのＲＳのための前記無相関系列の要素のスペクトラムを拡散し、前記第２のスペクトラム拡散ユニットは、第６の符号グループを用いることにより、前記第２のリソースブロックの第２の周波数リソースにマッピングされるべき前記第２のリソースブロックのＲＳのための前記無相関系列の要素のスペクトラムを拡散し、前記第２のリソースブロックの前記第１及び第２の周波数リソースは、前記第１のリソースブロックでＲＳ送信に用いられる周波数リソース要素のうちの隣接する周波数リソースであり、前記第６及び第５の符号グループは互いに列がミラーであり、前記第３のスペクトラム拡散ユニットは、第７の符号グループを用いることにより、前記第２のリソースブロックの第３の周波数リソースにマッピングされるべき前記第２のリソースブロックのＲＳのための前記無相関系列の要素のスペクトラムを拡散し、前記第４のスペクトラム拡散ユニットは、第８の符号グループを用いることにより、前記第２のリソースブロックの第４の周波数リソースにマッピングされるべき前記第２のリソースブロックのＲＳのための前記無相関系列の要素のスペクトラムを拡散し、前記第２のリソースブロックの前記第３及び第４の周波数リソースは、前記第２のリソースブロックでＲＳ送信に用いられる周波数リソース要素のうちの隣接する周波数リソースであり、前記第７及び第８の符号グループは互いに列がミラーであり、前記マッピングユニットは、前記第１乃至第４のスペクトラム拡散ユニットによりスペクトラム拡散された前記第２のリソースブロックのＲＳのための無相関系列の要素をそれぞれ前記第２のリソースブロックの前記第１乃至第４の周波数リソースに更にマッピングする、態様２に記載のＲＳ生成器。
【００１８】
態様９：同一の列ベクトルは、前記第５乃至第８の符号グループにおいて異なる列シリアル番号を有し、前記第５及び第６の符号グループのうちの１つは、前記第１及び第２の符号グループのうちの１つに第１の変位だけ列ベクトル循環シフトを実行することにより形成され、前記第７及び第８の符号グループのうちの１つは、前記第１及び第２の符号グループのうちの１つに第２の変位だけ列ベクトル循環シフトを実行することにより形成される、態様８に記載のＲＳ生成器。
【００１９】
態様１０：前記第１及び第２の符号グループは、共に、Ｗａｌｓｈ符号系列又はフーリエ変換系列である、態様１に記載のＲＳ生成器。
【００２０】
態様１１：ＲＳを生成する参照信号（ＲＳ）生成方法であって、前記方法は、第１のリソースブロックのＲＳのための無相関系列を生成する無相関系列生成器、第１の符号グループを用いて、前記第１のリソースブロックの第１の周波数リソースにマッピングされるべき前記第１のリソースブロックのＲＳのための無相関系列の要素のスペクトラムを拡散する第１のスペクトラム拡散ステップ、第２の符号グループを用いて、前記第１のリソースブロックの第２の周波数リソースにマッピングされるべき前記第１のリソースブロックのＲＳのための無相関系列の要素のスペクトラムを拡散する第２のスペクトラム拡散ステップであって、前記第１及び第２の周波数リソースは、前記第１のリソースブロックでＲＳ送信に用いられる周波数リソース要素のうちの隣接する周波数リソースであり、前記第１及び第２の符号グループは互いに列がミラーである、第２のスペクトラム拡散ステップ、前記第１及び第２のスペクトラム拡散ステップによりスペクトラム拡散された要素をそれぞれ前記第１のリソースブロックの前記第１及び第２の周波数リソースにマッピングするマッピングステップ、を有する。
【００２１】
態様１２：第３の符号グループを用いて、第３の周波数リソースにマッピングされるべき第１のリソースブロックのＲＳのための無相関系列の要素のスペクトラムを拡散する第３のスペクトラム拡散ステップ、第４の符号グループを用いて、第４の周波数リソースにマッピングされるべき前記第１のリソースブロックのＲＳのための無相関系列の要素のスペクトラムを拡散する第４のスペクトラム拡散ステップ、を有し、前記第３及び第４の周波数リソースは、前記第２のリソースブロックでＲＳ送信に用いられる周波数リソース要素のうちの隣接する周波数リソースであり、前記第３及び第４の符号グループは互いに列がミラーであり、前記マッピングステップは、前記第３及び第４のスペクトラム拡散ステップによりスペクトラム拡散された要素をそれぞれ前記第３及び第４の周波数リソースにマッピングする、態様１１に記載のＲＳ生成方法。
【００２２】
態様１３：前記第３及び第４の符号グループのうちの１つは、前記第１及び第２の符号グループのうちの１つに列ベクトル循環シフトを実行することにより形成される、態様１２に記載のＤＭＲＳ生成方法。
【００２３】
態様１４：同一の列ベクトルは、前記第１乃至第４の符号グループにおいて異なる列シリアル番号を有する、態様１３に記載のＲＳ生成方法。
【００２４】
態様１５：前記無相関系列生成ステップは、第２のリソースブロックのＲＳのための無相関系列を生成し、前記第１のリソースブロックのＲＳに用いられる周波数リソース及び前記第２のリソースブロックのＲＳに用いられる周波数リソースは、互いに隣接し、前記第１のスペクトラム拡散ステップは、第１の符号グループを用いることにより、前記第２のリソースブロックの第１の周波数リソースにマッピングされるべき前記第２のリソースブロックのＲＳのための前記無相関系列の要素のスペクトラムを拡散し、前記第２のスペクトラム拡散ステップは、第２の符号グループを用いることにより、前記第２のリソースブロックの第２の周波数リソースにマッピングされるべき前記第２のリソースブロックのＲＳのための前記無相関系列の要素のスペクトラムを拡散し、前記第２のリソースブロックの前記第１及び第２の周波数リソースは、前記第２のリソースブロックでＲＳ送信に用いられる周波数リソース要素のうちの隣接する周波数リソースであり、前記マッピングステップは、前記第１及び第２のスペクトラム拡散ステップによりスペクトラム拡散された前記第２のリソースブロックのＲＳのための無相関系列の要素をそれぞれ前記第２のリソースブロックの前記第１及び第２の周波数リソースに更にマッピングし、前記第２のリソースブロックの前記第１の周波数リソースは、前記第１のリソースブロックの前記第１の周波数リソース又は前記第２の周波数リソースに対応し、前記第２のリソースブロックの前記第２の周波数リソースは、前記第１の周波数ブロックの前記第２の周波数リソース又は前記第１の周波数リソースに対応し、前記第１のリソースブロックでＲＳ送信に用いられる周波数リソース要素のうちの隣接する周波数リソースにマッピングされるべき前記第１のリソースブロックのＲＳのための無相関系列の要素及び／又は前記第２のリソースブロックのＲＳのための無相関系列の要素は、それぞれ前記第１のリソースブロック及び前記第２のリソースブロックにおいて、第１の符号グループ及び第２の符号グループによりスペクトラム拡散される、態様１１に記載のＲＳ生成方法。
【００２５】
態様１６：前記無相関系列生成ステップは、第２のリソースブロックのＲＳのための無相関系列を生成し、前記第１のリソースブロックのＲＳに用いられる周波数リソース要素及び前記第２のリソースブロックのＲＳに用いられる周波数リソース要素は、互いに隣接し、前記第１のスペクトラム拡散ステップは、第３の符号グループを用いることにより、前記第２のリソースブロックの第１の周波数リソースにマッピングされるべき前記第２のリソースブロックのＲＳのための前記無相関系列の要素のスペクトラムを拡散し、前記第２のスペクトラム拡散ステップは、第４の符号グループを用いることにより、前記第２のリソースブロックの第２の周波数リソースにマッピングされるべき前記第２のリソースブロックのＲＳのための前記無相関系列の要素のスペクトラムを拡散し、前記第２のリソースブロックの前記第１及び第２の周波数リソースは、前記第２のリソースブロックでＲＳ送信に用いられる周波数リソース要素のうちの隣接する周波数リソースであり、前記第４及び第３の符号グループは互いに列がミラーであり、前記マッピングステップは、前記第１及び第２のスペクトラム拡散ステップによりスペクトラム拡散された前記第２のリソースブロックのＲＳのための無相関系列の要素をそれぞれ前記第２のリソースブロックの前記第１及び第２の周波数リソースにマッピングし、前記第２のリソースブロックの前記第１の周波数リソースは、前記第１のリソースブロックの前記第１の周波数リソース又は前記第２の周波数リソースに対応し、前記第２のリソースブロックの前記第２の周波数リソースは、前記第１のリソースブロックの前記第２の周波数リソース又は前記第１の周波数リソースに対応し、前記第１のリソースブロックでＲＳ送信に用いられる周波数リソース要素のうちの隣接する周波数リソースにマッピングされるべき前記第１のリソースブロックのＲＳのための無相関系列の要素及び／又は前記第２のリソースブロックのＲＳのための無相関系列の要素は、それぞれ第１の符号グループ及び第２の符号グループによりスペクトラム拡散され、前記第２のリソースブロックでＲＳ送信に用いられる周波数リソース要素のうちの隣接する周波数リソースにマッピングされるべき前記第１のリソースブロックのＲＳのための無相関系列の要素及び／又は前記第２のリソースブロックのＲＳのための無相関系列の要素は、それぞれ前記第１のリソースブロック及び前記第２のリソースブロックにおいて、前記第３の符号グループ及び前記第４の符号グループによりスペクトラム拡散され、前記第４及び第３の符号グループのうちの１つは、前記第１及び第２の符号グループのうちの１つに列ベクトル循環シフトを実行することにより形成される、態様１１に記載のＲＳ生成方法。
【００２６】
態様１７：同一の列ベクトルは、前記第１乃至第４の符号グループにおいて異なる列シリアル番号を有する、態様１６に記載のＲＳ生成方法。
【００２７】
態様１８：前記無相関系列生成ステップは、第２のリソースブロックのＲＳのための無相関系列を生成し、前記第１のリソースブロックのＲＳに用いられる周波数リソース及び前記第２のリソースブロックのＲＳに用いられる周波数リソースは、互いに隣接し、前記第１のスペクトラム拡散ステップは、第５の符号グループを用いることにより、前記第２のリソースブロックの第１の周波数リソースにマッピングされるべき前記第２のリソースブロックのＲＳのための前記無相関系列の要素のスペクトラムを拡散し、前記第２のスペクトラム拡散ステップは、第６の符号グループを用いることにより、前記第２のリソースブロックの第２の周波数リソースにマッピングされるべき前記第２のリソースブロックのＲＳのための前記無相関系列の要素のスペクトラムを拡散し、前記第２のリソースブロックの前記第１及び第２の周波数リソースは、前記第１のリソースブロックでＲＳ送信に用いられる周波数リソース要素のうちの隣接する周波数リソースであり、前記第６及び第５の符号グループは互いに列がミラーであり、前記第３のスペクトラム拡散ステップは、第７の符号グループを用いることにより、前記第２のリソースブロックの第３の周波数リソースにマッピングされるべき前記第２のリソースブロックのＲＳのための前記無相関系列の要素のスペクトラムを拡散し、前記第４のスペクトラム拡散ステップは、第８の符号グループを用いることにより、前記第２のリソースブロックの第４の周波数リソースにマッピングされるべき前記第２のリソースブロックのＲＳのための前記無相関系列の要素のスペクトラムを拡散し、前記第２のリソースブロックの前記第３及び第４の周波数リソースは、前記第２のリソースブロックでＲＳ送信に用いられる周波数リソース要素のうちの隣接する周波数リソースであり、前記第７及び第８の符号グループは互いに列がミラーであり、前記マッピングステップは、前記第１乃至第４のスペクトラム拡散ステップによりスペクトラム拡散された前記第２のリソースブロックのＲＳのための無相関系列の要素をそれぞれ前記第２のリソースブロックの前記第１乃至第４の周波数リソースに更にマッピングする、態様１２に記載のＲＳ生成方法。
【００２８】
態様１９：同一の列ベクトルは、前記第５乃至第８の符号グループにおいて異なる列シリアル番号を有し、前記第５及び第６の符号グループのうちの１つは、前記第１及び第２の符号グループのうちの１つに第１の変位だけ列ベクトル循環シフトを実行することにより形成され、前記第７及び第８の符号グループのうちの１つは、前記第１及び第２の符号グループのうちの１つに第２の変位だけ列ベクトル循環シフトを実行することにより形成される、態様１８に記載のＲＳ生成方法。
【００２９】
態様２０：前記第１及び第２の符号グループは、共に、Ｗａｌｓｈ符号系列又はフーリエ変換系列である、態様１１に記載のＲＳ生成方法。
【００３０】
態様２１：符号生成装置であって、基本直交符号のグループを得る基本直交符号取得装置、前記基本直交符号取得装置により生成された基本直交符号に列ベクトル循環シフトを実行する列循環シフトユニット、前記基本直交符号取得装置により生成された基本直交符号に列のミラーリングを実行して第１の基本直交符号グループペアを得て、前記列循環シフトユニットにより循環シフトを実行された基本直交符号に列のミラーリングを実行して第２の符号グループペアを得るミラーユニット、を有する符号生成装置。
【００３１】
態様２２：列ベクトル循環シフトの変位は可変である、態様２１に記載の符号生成装置。
【００３２】
態様２３：前記符号生成装置は、前記列循環シフトユニット及び前記ミラーユニットを制御して、列シリアル番号により区別可能な符号グループペアのグループを得るグループペアのグループ取得ユニット、を更に有し、同一の列は異なる符号グループにおいて異なる列シリアル番号を有する、態様２１に記載の符号生成装置。
【００３３】
本発明で提案される符号を生成する方法及び装置によると、ＲＳのランダム化が向上され、ＲＳのパワー不平衡の問題が除去され、時間及び周波数の両方の２つの領域において直交性の要件が満たされ、更にはロバストなチャネル推定特性がもたらされる。
【００３４】
以下の説明及び図面を参照し、本発明の上述の及び他の態様及び特徴が一層明らかになるだろう。以下の説明及び添付の図面では、本発明を実施するための特定の実施形態が詳細に開示され、本発明の原理に適用可能な実施モードが取り上げられる。留意すべきことは、それにより本発明の範囲が限定されないことである。本発明は、種々の変形、変更及び添付の請求の範囲の精神及び規定に包含される等価物を含む。
【００３５】
ある実施形態に関して記載され及び／又は図示された特徴は、１又は複数の他の実施形態で用いることができ、他の実施形態の特徴と結合され又はこれを同じ若しくは同様の方法で置換してもよい。
【００３６】
強調すべき点は、用語「有する（comprise/include、comprising/including）」は、本願明細書では、特徴、構成要素、段階及び部品の存在を表し、１又は複数の他の特徴、構成要素、段階及び部品の存在を排除しないことである。
【００３７】
他の目的と同様に、上述の本発明の特徴及び利点は、添付の図面を参照した以下の説明により一層明らかになるだろう。
【図面の簡単な説明】
【００３８】
【図１Ａ】本発明の一実施形態による参照信号（ＲＳ）生成装置を説明する概略図である。
【図１Ｂ】本発明の一実施形態によるＲＳ生成装置を説明する概略図である。
【図２】本発明によるＲＳ生成装置のある利点を説明する。
【図３】本発明によるＲＳ生成装置のある利点を説明する。
【図４】本発明による方法により符号グループペアを生成するフローを説明する概略図である。
【図５Ａ】本発明の一実施形態によるＲＳ生成方法を説明するフローチャートである。
【図５Ｂ】本発明の別の実施形態によるＲＳ生成方法のフローチャートを説明する概略図である。
【図６】本発明によるＲＳ生成方法を用いることにより生成されたダウンリンクＲＳリソースの例を説明する概略図である。
【図７】本発明によるＲＳ生成方法を用いることにより生成されたダウンリンクＲＳリソースの別の例を説明する概略図である。
【図８】第１の送信アンテナにマッピングされた、本発明により生成されたプリコーディングされた符号系列の４つのグループ（列のシリアル番号により符号グループペアが区別される）のパワー分布を説明する概略図である。
【図９】本発明の一実施形態による第２のリソースブロックのスペクトラム拡散処理を説明する。
【図１０】本発明の一実施形態による第２のリソースブロックのスペクトラム拡散処理を説明する。
【図１１】本発明の別の実施形態による第２のリソースブロックのスペクトラム拡散処理を説明する。
【図１２】本発明の別の実施形態による第２のリソースブロックのスペクトラム拡散処理を説明する。
【図１３】本発明の一実施形態による符号生成装置を説明する概略図である。
【図１４】本発明の実施形態による装置及び方法を実施可能なコンピュータを例示的に説明するブロック図である。
【図１５】本発明の実施形態によるＲＳ生成装置及び生成方法を実施する送信機の機能を例示的に説明するブロック図である。
【発明を実施するための形態】
【００３９】
本発明の好適な実施形態は、以下に図面を参照して詳細に記載される。本発明に必要な詳細事項及び機能は、本発明の理解を混乱させるのを防ぐため、本願明細書に記載されない。
【００４０】
図１Ａは、本発明の一実施形態による復調参照信号（ＤＭＲＳ）生成装置を説明する概略図である。ＤＭＲＳは、復調のために用いられる参照信号（ＲＳ）の一例である。図１Ａに示されるように、本発明の一実施形態によるＤＭＲＳ生成装置１００は、無相関信号系列生成ユニット１０１、第１のスペクトラム拡散ユニット１０２、第２のスペクトラム拡散ユニット１０３及びマッピングユニット１０４を有する。
【００４１】
無相関系列生成ユニット１０１は、ＲＳのための無相関系列を生成するよう構成される。この系列は、理想的な相関（比較的小さい又はゼロ）を有する。この場合の無相関系列は、例えば、Ｚａｄｏｆｆ−Ｃｈｕ系列又はＰＮ符号系列である。既に当業者に知られている又は知られるべき任意の方法を、Ｚａｄｏｆｆ−Ｃｈｕ系列又はＰＮ符号系列のような無相関系列を生成するために用いることができ、ここでは明示的に記載されない。例えば、無相関系列生成ユニット１０１は、特定のリソースブロックのための無相関系列（ａ，ｃ）を生成する。
【００４２】
第１のスペクトラム拡散ユニット１０２は、第１の符号グループを用いることにより、要素のスペクトラム（例えば、ａ）を、第１の周波数リソースにマッピングされるべきＲＳのための無相関系列に拡散するよう構成される。ここで、直交カバーコード（ＯＣＣ）が符号として用いられてもよい。
【００４３】
第１のスペクトラム拡散ユニット１０３は、第２の符号グループを用いることにより、要素のスペクトラム（例えば、ｃ）を、第２の周波数リソースにマッピングされるべきＲＳのための無相関系列に拡散するよう構成される。第２の周波数リソース及び第１の周波数リソースは、第１のリソースブロックでＲＳ送信に用いられる周波数リソース要素のうちの隣接する周波数リソースであり、第２の符号グループと第１の符号グループは互いに列がミラーである。第１の符号グループ及び第２の符号グループは、符号グループペアと称される。
【００４４】
マッピングユニット１０４は、第１及び第２のスペクトラム拡散ユニットによりスペクトラム拡散されたＲＳのための無相関系列の要素を、対応する周波数リソースに、つまりそれぞれ第１の周波数リソースと第２の周波数リソースとにマッピングするよう構成される。
【００４５】
一実施形態では、第１の符号グループ及び第２の符号グループは、Ｗａｌｓｈ符号である。別の実施形態では、第１の符号グループ及び第２の符号グループは、離散フーリエ変換（ＤＦＴ）系列である。任意の他の知られている符号系列が、第１の符号グループ及び第２の符号グループに用いられてもよい。説明を容易にするため、Ｗａｌｓｈ符号のみが説明のための例として取り上げられる。
【００４６】
図２及び図３は、本発明によるＲＳ生成装置のある利点を説明する。４つのＲＳ信号が用いられるとき、図２に示されるように、時間領域でスペクトラム拡散距離（spectrum-spreading  length）４を有する１つの符号グループのみ（ａ，−ａ，ａ，−ａ又はｃ，−ｃ，ｃ，−ｃ）が、従来用いられていた。図３に示されるように、本発明の実施形態によるＤＭＲＳ生成装置が用いられるとき、４つのＲＳ信号を２つのサブキャリアにそれぞれマッピングすることが可能であり、時間領域のスペクトラム拡散距離を２まで減少させることができ、それにより移動局の移動速度についての要件を低減する。
【００４７】
他方で、これは、以下に説明するように、パワー分布をより均一にすることも可能にする。本発明は、１つの実施形態で関連分野に存在する技術的問題の全てを解決することを目的とするものではなく、本発明の言及された技術的利点の全てを一実施形態が含む必要はない。
【００４８】
以下に、符号系列の生成を説明する。
【００４９】
図４は、本発明による方法により符号グループペアを生成するフローを説明する概略図である。図４に示される例では、８個のグループの符号系列が一緒に生成され、各符号系列は、４個の直交系列を含み、各直交系列は長さ４を有する。示された例において生成された符号系列は、Ｗａｌｓｈ系列である。留意すべきことに、この場合に数４及び８は、単に説明を明確にするために用いられるのであり、本発明の保護範囲を制限するものではない。
【００５０】
図４に示されるように、詳細には以下のステップが含まれる。
【００５１】
ステップＳ４０１：符号系列のグループを生成する。図４に示された環境は、行列Ｃ１＝［Ｃ１，１；Ｃ１，２；Ｃ１，３；Ｃ１，４］により表される。この符号系列のグループ（符号グループ）は、互いに直交する４個の直交系列を含み、各直交系列は長さ４を有する。
【数１】
0005621855.tif 000002
【００５２】
例えば、図４では、次式の通りである。
【数２】
0005621855.tif 000003
以下同様である。
【００５３】
ステップＳ４０２：符号系列のグループＣ１に列ミラー処理を行い、新しい符号系列のグループＣ２＝［Ｃ２，１；Ｃ２，２；Ｃ２，３；Ｃ２，４］＝［Ｃ１，４；Ｃ１，３；Ｃ１，２；Ｃ１，１］を得る。
【００５４】
したがって、互いに連携して用いられる符号グループのペア（符号グループペア）が得られる。
【００５５】
さらに、連携して用いられるより多くの符号グループのペアが必要なときは、方法は以下のステップを有し得る。
【００５６】
ステップＳ４０３：直交系列のグループＣ１に列ベクトル循環シフト処理を行い、新しい符号系列のグループＣ３＝［Ｃ３，１；Ｃ３，２；Ｃ３，３；Ｃ３，４］を得る。次にステップＳ４０４に進む。
【００５７】
ステップＳ４０４：符号系列のグループＣ３に列ミラー処理を行い、別の新しい符号系列のグループＣ４＝［Ｃ４，１；Ｃ４，２；Ｃ４，３；Ｃ４，４］を得る。
【００５８】
列ベクトル循環シフト処理における循環変位ｐは、可変である。例えば、図４に示される環境では、循環変位ｐは、１、２及び３に等しい。したがって、より多くの連携するグループペアが必要なとき、ステップＳ４０３及びＳ４０４は複数回繰り返され、循環変位ｐは毎回変化する。
【００５９】
図４は、ｐ＝２のとき結果として得られたＣ３及びＣ４を示す。図４は、ｐ＝３のとき結果として得られた別の符号グループのペアＣ５及びＣ６、並びにｐ＝１のときの更に別の符号グループのペアＣ７及びＣ８も示す。
【００６０】
望ましくは、符号グループの２つのペアを選択する必要があるとき、符号系列の同じ列ベクトルが、２つの符号グループペア毎に異なる列シリアル番号で作成される。つまり、列シリアル番号で区別可能なカバーコードベクトルのグループペアのグループを形成する。図示された例で、全て１の列ベクトルを例に取ると、これは、Ｃ１〜Ｃ４のそれぞれ１番目、４番目、３番目及び２番目の列に対応し、Ｃ５〜Ｃ８のそれぞれ４番目、１番目、２番目及び３番目の列に対応する。そして、これら８個の符号系列グループの行列は、互いに等しくないので、Ｃ１〜Ｃ４は一緒に用いることができ、Ｃ５〜Ｃ８は一緒に用いることができる。この場合のＣ１〜Ｃ４は、列シリアル番号で区別可能なカバーコードベクトルのグループペアのグループを生成し、Ｃ５〜Ｃ８は、列シリアル番号で区別可能なカバーコードベクトルのグループペアのグループを生成する。同様に、Ｃ１、Ｃ２、Ｃ７及びＣ８において全て１の列ベクトルは、それぞれ１番目、４番目、２番目及び３番目の列に存在し、Ｃ３、Ｃ４、Ｃ５及びＣ６において全て１の列ベクトルは、それぞれ３番目、２番目、４番目及び１番目の列に存在する。したがって、Ｃ３、Ｃ４、Ｃ５及びＣ６は一緒に用いることができ、Ｃ１、Ｃ２、Ｃ７及びＣ８は一緒に用いることができる。Ｃ３、Ｃ４、Ｃ５及びＣ６は、列シリアル番号で区別可能なカバーコードベクトルのグループペアのグループを生成し、Ｃ１、Ｃ２、Ｃ７及びＣ８も、列シリアル番号で区別可能なカバーコードベクトルのグループペアのグループを生成する。列シリアル番号で区別可能なカバーコードベクトルのグループペアのグループを用いることの利点は、各ＲＳ送信周波数リソースで均一なパワー分布を可能にすることである。これは後述される。
【００６１】
全ての符号グループペアが得られた後に、特定の方法により、列シリアル番号で区別可能なカバーコードベクトルのグループペアのグループを選択することが可能である。また、循環シフトの各ラウンドを実行した後に、列シリアル番号で区別可能なカバーコードベクトルのグループペアのグループが作成されたか否かを決定する決定するステップを追加することにより、適切な符号グループペアを選択すること及び不要な符号グループペアを廃棄することも可能である。
【００６２】
生成された符号系列の８個のグループでは、各OCCグル―プペア（符号系列行列のグループのペア）Ｃ１とＣ２、Ｃ３とＣ４、Ｃ５とＣ６及びＣ７とＣ８の要素により形成されるベクトルは、互いに直交するという関係を満たす。Ｃ１とＣ２を例に取ると、［Ｃ１１，Ｃ１２，Ｃ２１，Ｃ２２］は互いに直交し、［Ｃ１３，Ｃ１４，Ｃ２３，Ｃ２４］も互いに直交し、以下同様である。図から分かるように、このように得られた符号グループペアは、周波数及び時間の両方の２つの領域での直交性を達成できる。
【００６３】
図１Ｂは、本発明の別の実施形態によるＤＭＲＳ生成装置を説明する概略図である。
【００６４】
図１Ｂに示されるように、本発明の別の実施形態によるＤＭＲＳ生成装置１００’は、図１Ａに示されたような無相関信号系列生成ユニット１０１、第１のスペクトラム拡散ユニット１０２、第２のスペクトラム拡散ユニット１０３及びマッピングユニット１０４に加え、第３のスペクトラム拡散ユニット１０５及び第４のスペクトラム拡散ユニット１０６を有する。
【００６５】
本実施形態によるＤＭＲＳ生成装置１００’では、無相関系列生成器は、ＲＳのための無相関系列、例えばＲＳのための無相関系列（ａ，ｂ，ｃ，ｄ）を生成する。
【００６６】
第１のスペクトラム拡散ユニット１０２は、第１の符号グループ（例えばＣ１）を用いることにより、要素のスペクトラム（例えば、ａ）を、第１の周波数リソースにマッピングされるべきＲＳのための無相関系列に拡散するよう構成される。
【００６７】
第２のスペクトラム拡散ユニット１０３は、第２の符号グループ（例えばＣ２）を用いることにより、要素のスペクトラム（例えば、ｃ）を、第２の周波数リソースにマッピングされるべきＲＳのための無相関系列に拡散するよう構成される。第２の周波数リソース及び第１の周波数リソースは、第１のリソースブロックでＲＳ送信に用いられる周波数リソース要素のうちの隣接する周波数リソースであり、第２の符号グループと第１の符号グループは互いに列がミラーである。第１の符号グループ及び第２の符号グループは、符号グループペアと称される。ＲＳ送信に用いられる周波数リソースの第１のグループは、例えば、第１、第２、第５及び第６のレイヤのＲＳである。本開示では、第２の周波数リソース及び第１の周波数リソースの両者が、第１のリソースブロックでＲＳ送信に用いられる周波数リソース要素のうちの周波数リソースであると記載されるとき、これは、２つの周波数リソースにより伝達されるＲＳがＲＳ送信に用いられる周波数リソース要素の第１のグループのために用いられることを意味する。
【００６８】
第３のスペクトラム拡散ユニット１０５は、第３の符号グループ（例えばＣ３）を用いることにより、要素のスペクトラム（例えば、ｂ）を、第３の周波数リソースにマッピングされるべきＲＳのための無相関系列に拡散するよう構成される。
【００６９】
第４のスペクトラム拡散ユニット１０６は、第４の符号グループ（例えばＣ４）を用いることにより、要素のスペクトラム（例えば、ｄ）を、第４の周波数リソースにマッピングされるべきＲＳのための無相関系列に拡散するよう構成される。第３の周波数リソース及び第４の周波数リソースは、第２のリソースブロックでＲＳ送信に用いられる周波数リソース要素のうちの隣接する周波数リソースであり、第３の符号グループと第４の符号グループは互いに列がミラーである。本開示では、第３の周波数リソース及び第４の周波数リソースの両者が、第２のリソースブロックでＲＳ送信に用いられる周波数リソース要素のうちの周波数リソースであると記載されるとき、これは、２つの周波数リソースにより伝達されるＲＳがＲＳ送信に用いられる周波数リソース要素の第２のグループのために用いられることを意味する。第２のＲＳグループは、例えば、第３、第４、第７及び第８のレイヤのＲＳである。
【００７０】
望ましくは、第１の符号グループ及び第２の符号グループは、第３の符号グループ及び第４の符号グループと同様に、Ｃ１、Ｃ２がＣ３及びＣ４と組み合わされる上述の環境と同様に、列シリアル番号で区別可能な符号グループペアを形成する。しかしながら、これは必ずしもそうではなく、Ｃ１、Ｃ２を例えばＣ５及びＣ６と組み合わせることも可能である。
【００７１】
図５Ａは、本発明の一実施形態によるＤＭＲＳ生成方法を説明するフローチャートである。
【００７２】
図５Ａに示されるように、先ず、ステップＳ５０１で、無相関系列生成ユニット１０１は、ＲＳのための無相関系列を生成する。この場合のＲＳのための無相関系列は、例えば、Ｚａｄｏｆｆ−Ｃｈｕ系列又はＰＮ符号系列である。既に当業者に知られている又は知られるべき任意の方法を、Ｚａｄｏｆｆ−Ｃｈｕ系列又はＰＮ符号系列のような無相関系列を生成するために用いることができ、ここでは明示的に記載されない。
【００７３】
ステップＳ５０２で、第１のスペクトラム拡散ユニット１０２は、第１の符号グループを用いることにより、要素のスペクトラムを、第１の周波数リソースにマッピングされるべき無相関系列に拡散する。
【００７４】
ステップＳ５０３で、第２のスペクトラム拡散ユニット１０３は、第２の符号グループを用いることにより、要素のスペクトラムを、第２の周波数リソースにマッピングされるべき無相関系列に拡散する。第２の周波数リソース及び第１の周波数リソースは、ＲＳ送信に用いられる周波数リソース要素の同一のグループのうちの隣接する周波数リソースであり、第２の符号グループと第１の符号グループは互いに列がミラーである。第１の符号グループ及び第２の符号グループは、符号グループペアと称される。
【００７５】
その後、ステップＳ５０４で、マッピングユニット１０４は、第１及び第２のスペクトラム拡散ユニットによりスペクトラム拡散されたＲＳのための無相関系列の要素を、対応する周波数リソースに、つまりそれぞれ第１の周波数リソースと第２の周波数リソースとにマッピングする。
【００７６】
容易に考えられるように、ステップＳ５０２及びＳ５０３は、連続にも又は同時にも実行することができる。
【００７７】
図５Ｂは、本発明の別の実施形態によるＤＭＲＳ生成方法を説明する概略図である。
【００７８】
図５Ｂに示されるように、本発明の実施形態のＤＭＲＳ生成方法によると、先ずステップＳ５０１で、ＲＳのための無相関系列が生成される。この系列は、理想的な相関（比較的小さい又はゼロ）を有する。この場合の無相関系列は、例えば、Ｚａｄｏｆｆ−Ｃｈｕ系列又はＰＮ符号系列である。
【００７９】
次に、ステップＳ５０２で、第１のスペクトラム拡散ユニットは、第１の符号グループを用いることにより、要素のスペクトラムを、第１の周波数リソースにマッピングされるべきＲＳのための無相関系列に拡散する。
【００８０】
ステップＳ５０３で、第２のスペクトラム拡散ユニットは、第２の符号グループを用いることにより、要素のスペクトラムを、第２の周波数リソースにマッピングされるべき複数の第１の無相関系列に拡散する。第２の周波数リソース及び第１の周波数リソースは、第１のリソースブロックでＲＳ送信に用いられる周波数リソース要素のうちの隣接する周波数リソースであり、第２の符号グループと第１のＯＣＣグループは互いに列がミラーである。
【００８１】
図５Ａに示されたＤＭＲＳ生成方法と異なり、図５Ｂに示されたＤＭＲＳ生成方法は、ステップＳ５０５及びＳ５０６を更に有する。
【００８２】
ステップＳ５０５で、第３のスペクトラム拡散ユニットは、第３のＯＣＣグループを用いることにより、要素のスペクトラムを、第３の周波数リソースにマッピングされるべきＲＳのための無相関系列に拡散する。
【００８３】
ステップＳ５０６で、第４のスペクトラム拡散ユニットは、第４のＯＣＣグループを用いることにより、要素のスペクトラムを、第４の周波数リソースにマッピングされるべきＲＳのための無相関系列に拡散する。第４の周波数リソース及び第３の周波数リソースは、第２のリソースブロックでＲＳ送信に用いられる周波数リソース要素のうちの隣接する周波数リソースであり、第４のＯＣＣグループと第３のＯＣＣグループは互いに列がミラーである。
【００８４】
また、望ましくは、第４の符号グループ及び第３の符号グループにより形成されるグループペアのグループは、第１の符号グループ及び第２の符号グループによるのと同様に、列シリアル番号で区別可能な符号グループペアを形成する。
【００８５】
ステップＳ５０４で、マッピングユニット１０４は、第１乃至第４のスペクトラム拡散ユニットによりスペクトラム拡散されたＲＳのための無相関系列の要素を、対応する周波数リソースに、つまりそれぞれ第１乃至第４の周波数リソースにマッピングする。
【００８６】
容易に考えられるように、ステップＳ５０２、Ｓ５０３、Ｓ５０５及びＳ５０６は、連続にも又は同時にも実行することができる。
【００８７】
図６は、本発明によるＤＭＲＳ生成方法を用いることにより生成されたダウンリンクＤＭＲＳリソースの例を説明する概略図である。
【００８８】
図６は、２つのレイヤが存在する環境を示す。ＲＳが、ＬＴＥ−Ａシステムの各サブフレーム内の６番目及び７番目のＯＦＤＭシンボル並びに１３番目及び１４番目のＯＦＤＭシンボルの物理リソースブロック（physical  resource  blocks：PRB）において１２個のサブキャリア（「リソース要素（resource  elements）」、ＲＥとも表される）を占有するとする。第１及び第２レイヤのＲＳは、同一のＰＲＢを占有し、それぞれ長さ２を有する符号を介して区別される。
【００８９】
このような環境では、ＲＳのための無相関系列（例えば、ａ，ｂ，ｃ）が生成された後、第１の符号グループは、第１のリソースブロックでＲＳ送信に用いられる周波数リソース要素（第１及び第２レイヤのＲＳ）のうちの第１のサブキャリアにマッピングされるべきＲＳのための無相関系列においてスペクトル要素（例えば、ａ）を拡散するために用いられる。また、第２の符号グループは、６番目のサブキャリア（第１のリソースブロックでＲＳ送信に用いられる周波数リソース要素でもある）にマッピングされるべきＲＳのための無相関系列においてスペクトル要素（例えば、ａ）を拡散するために用いられる。そして、第１の符号グループは、１１番目のサブキャリア（第１のリソースブロックでＲＳ送信に用いられる周波数リソース要素でもある）にマッピングされるべきＲＳのための無相関系列においてスペクトル要素（例えば、ｃ）を拡散するために用いられる。その後、マッピングが行われる。
【００９０】
第１の符号グループ及び第２の符号グループは、互いに列がミラーであり、つまり符号グループペアを形成する。
【００９１】
この文脈では、例示的に示された１番目、６番目及び１１番目のサブキャリアは物理的に隣接していないが、それらは同一のレイヤに関するＲＳ送信に用いられる周波数リソース要素なので、同一のレイヤに関するＲＳ送信に用いられる周波数リソース要素である限りは隣接し、したがって、それらは第1のリソースブロックでＲＳ送信に用いられる周波数リソース要素のうちの隣接周波数リソースとして参照される。
【００９２】
図７は、本発明によるＲＳ生成方法を用いることにより生成されたダウンリンクＲＳリソースの別の例を説明する概略図である。
【００９３】
図７は、４つのレイヤが存在する環境を示す。ＲＳが、ＬＴＥ−Ａシステムの各サブフレーム内の６番目及び７番目のＯＦＤＭシンボル並びに１３番目及び１４番目のＯＦＤＭシンボルの物理リソースブロック（physical  resource  blocks：PRB）において２４個のサブキャリア（「リソース要素（resource  elements）」、ＲＥとも表される）を占有するとする。第１及び第２レイヤのＲＳは、同一のＰＲＢを占有し、それぞれ長さ２を有する符号を介して区別される。第３及び第４レイヤのＲＳは、同一のＰＲＢを占有し、それぞれ長さ２を有する符号を介して区別される。
【００９４】
このような環境では、ＲＳのための無相関系列が生成された後、第１の符号グループ（例えば、Ｃ１）は、第１及び第２レイヤに関する０番目のサブキャリアにマッピングされるべきＲＳのための無相関系列においてスペクトル要素を拡散するために用いられる。また、第２の符号グループ（例えば、Ｃ２）は、第１及び第２レイヤに関する５番目のサブキャリアにマッピングされるべきＲＳのための無相関系列においてスペクトル要素を拡散するために用いられる。そして、第１の符号グループは、第１及び第２レイヤに関する１０番目のサブキャリアにマッピングされるべきＲＳのための無相関系列においてスペクトル要素を拡散するために用いられる。第３の符号グループ（例えば、Ｃ３）は、第３及び第４レイヤに関する１番目のサブキャリアにマッピングされるべきＲＳのための無相関系列においてスペクトル要素を拡散するために用いられる。また、第４の符号グループ（例えば、Ｃ４）は、第３及び第４レイヤに関する６番目のサブキャリアにマッピングされるべきＲＳのための無相関系列においてスペクトル要素を拡散するために用いられる。そして、第３の符号グループは、第３及び第４レイヤに関する１１番目のサブキャリアにマッピングされるべきＲＳのための無相関系列においてスペクトル要素を拡散するために用いられる。その後、マッピングが行われる。
【００９５】
第１の符号グループ及び第２の符号グループは、互いに列がミラーであり、つまり符号グループペアを形成する。第３の符号グループ及び第４の符号グループは、互いに列がミラーであり、つまり符号グループペアを形成する。第１及び第２レイヤは、ＦＤＭの形式の第３及び第４レイヤから区別できる。つまり、それらは周波数により区別される。
【００９６】
留意すべきことに、第１の符号グループ及び第２の符号グループにより形成された符号グループペアは、第３の符号グループ及び第４の符号グループにより形成された符号グループペアと同一か又は異なる。
【００９７】
４より多いレイヤが存在するとき、方法は、図７に示されたのと同様に実行できる。つまり、ＲＳを伝達する周波数リソースは、異なるレイヤに関して２つのグループに分けられ、各グループにマッピングされたＲＳのための無相関系列の要素は、異なる符号グループによりスペクトラム拡散される。異なるグループは、周波数により区別される。
【００９８】
例えば、図７に示されたＲＳリソースのパターンでも、ＲＳのための無相関系列が生成された後、第１の符号グループは、第１乃至第４レイヤに関する０番目のサブキャリアにマッピングされるべきＲＳのための無相関系列においてスペクトル要素を拡散するために用いられる。また、第２の符号グループは、第１乃至第４レイヤに関する５番目のサブキャリアにマッピングされるべきＲＳのための無相関系列においてスペクトル要素を拡散するために用いられる。そして、第１の符号グループは、第１乃至第４レイヤに関する１０番目のサブキャリアにマッピングされるべきＲＳのための無相関系列においてスペクトル要素を拡散するために用いられる。第３の符号グループは、第５乃至第８レイヤに関する１番目のサブキャリアにマッピングされるべきＲＳのための無相関系列においてスペクトル要素を拡散するために用いられる。また、第４の符号グループは、第５乃至第８レイヤに関する６番目のサブキャリアにマッピングされるべきＲＳのための無相関系列においてスペクトル要素を拡散するために用いられる。そして、第３の符号グループは、第５乃至第８レイヤに関する１１番目のサブキャリアにマッピングされるべきＲＳのための無相関系列においてスペクトル要素を拡散するために用いられる。その後、マッピングが行われる。
【００９９】
第１の符号グループ及び第２の符号グループは、互いに列がミラーであり、つまり符号グループペアを形成する。第３の符号グループ及び第４の符号グループは、互いに列がミラーであり、つまり符号グループペアを形成する。第１乃至第４レイヤは、ＦＤＭの形式の第５乃至第８レイヤから区別できる。つまり、それらは周波数により区別される。ここで、符号の長さは４である。
【０１００】
留意すべきことに、このような環境では、第１の符号グループ及び第２の符号グループにより形成された符号グループペアは、第３の符号グループ及び第４の符号グループにより形成された符号グループペアと同一か又は異なる。しかしながら、列シリアル番号で区別可能な符号グループペアのグループが用いられることが望ましい。第１乃至第４レイヤはＲＳ送信に用いられる周波数リソース要素の第１のグループを形成し、第５乃至第８レイヤはＲＳ送信に用いられる周波数リソース要素の第２のグループを形成する。しかし、以上は単なる例として取り上げられたものであり、ＲＳ送信に用いられる周波数リソース要素の第１のグループは、第１、第２、第５及び第６レイヤのＲＳ送信に用いられる周波数リソース要素であってもよく、ＲＳ送信に用いられる周波数リソース要素の第２のグループは、第３、第４、第７及び第８レイヤのＲＳ送信に用いられる周波数リソース要素であってもよい。
【０１０１】
図６及び図７から分かるように、符号系列は、時間領域でスペクトラム拡散される。つまり、６、７、１３及び１４番目のＯＦＤＭシンボルの同一のサブキャリアに対応するＲＳは、それぞれ長さ４を有するスペクトラム拡散符号を構成する。さらに、６、７、１３及び１４番目のＯＦＤＭシンボルのｋ番目及びｋ＋６番目のサブキャリアに対応するＲＳも、それぞれ長さ４を有するスペクトラム拡散符号を構成する。つまり、時間と周波数の２つの領域で直交性が提供される。
【０１０２】
図８は、第１の送信アンテナにマッピングされた、本発明により生成されたプリコーディングされた符号シーケンスの４つのグループ（列シリアル番号により区別可能な符号グループペアのグループ）のパワー分布を説明する概略図である。図８から分かるように、プリコーディング行列の行ベクトルが全て１である場合、符号系列行列Ｃ１〜Ｃ４の４つのグループが、プリコーディング行列の行ベクトルで乗算され加算された後、６、７、１３及び１４番目のＯＦＤＭシンボルに対応するＲＳは、ｋ番目のサブキャリアでそれぞれ４ａ、０、０、０である。６、７、１３及び１４番目のＯＦＤＭシンボルに対応するＲＳは、ｋ−１番目のサブキャリアでそれぞれ０、０、４ｃ、０である。６、７、１３及び１４番目のＯＦＤＭシンボルに対応するＲＳは、ｋ−６番目のサブキャリアでそれぞれ０、０、０、４ｄである。そして、６、７、１３及び１４番目のＯＦＤＭシンボルに対応するＲＳは、ｋ−７番目のサブキャリアでそれぞれ０、４ｂ、０、０である。容易に分かるように、ＲＳのパワーは、４個のＯＦＤＭシンボルに均一に分散され、パワー不平衡の問題が回避される。
【０１０３】
図９及び図１０は、本発明の一実施形態による第２のリソースブロックのスペクトラム拡散処理を説明する。
【０１０４】
本発明の一実施形態によると、図９及び図１０に示されるように、隣接リソースブロック（例えば、図９及び図１０の第２のリソースブロック）に関して、復調参照信号は、元のリソースブロック（例えば、図９及び図１０の第１のリソースブロック）と同じモードにより生成できる。さらに、２つのリソースブロックの間に適用される符号グループは、同一のレイヤのＲＳ送信の隣接周波数リソースに関して、互いに列がミラーになるようにされ、つまり符号グループペアを形成する。例えば、図１０に示されるように、第１のリソースブロックの１０番目のサブキャリア及び第２のリソースブロックの０番目のサブキャリアに関して、互いに列がミラーの符号グループＣ１及びＣ２が用いられる。第１のリソースブロックの１１番目のサブキャリア及び第２のリソースブロックの１番目のサブキャリアに関して、互いに列がミラーの符号グループＣ３及びＣ４が用いられる。更なる例として、図９に示されるように、第１のリソースブロックの１１番目のサブキャリア及び第２のリソースブロックの１番目のサブキャリアに関して、互いに列がミラーの符号グループＣ１及びＣ２が用いられる。
【０１０５】
留意すべきことに、図９及び図１０に示されるように、第１の周波数リソース及び第２の周波数リソースは、異なるリソースブロックで異なるサブキャリアを示してもよい。
【０１０６】
図１１及び図１２は、本発明の別の実施形態による第２のリソースブロックのスペクトラム拡散処理を説明する。
【０１０７】
本発明の別の実施形態によると、図１１及び図１２に示されるように、隣接するリソースブロックに関し、互いに列がミラーの２つの符号グループが用いられる。図１１に示されるように、異なる符号グループペアが、元のリソースブロックの周波数リソース（例えば、第１のリソースブロックの１，６及び１１番目のサブキャリア）に対応する周波数リソース（例えば、第２のリソースブロックの１，６及び１１番目のサブキャリア）のために、第２のリソースブロックで用いられる。望ましくは、２つの符号グループペアは、列シリアル番号により区別可能な符号グループペアのグループを形成する。更なる例として、図１２に示されるように、異なる符号グループペアが、元のリソースブロックの周波数リソースに対応する周波数リソースのために、第２のリソースブロックで用いられる。隣接するリソースブロックで用いられる符号グループペアは、列シリアル番号により区別可能な符号グループペアのグループを形成する。第２のリソースブロックで用いられる列シリアル番号により区別可能な符号グループペアのグループのうちの１つの符号グループは、第１のリソースブロックで用いられる列シリアル番号により区別可能な符号グループペアのグループのうちの１つの符号グループに列ベクトル循環シフトを実行することにより得られる。
【０１０８】
図１３は、本発明の一実施形態による符号生成装置を説明する概略図である。
【０１０９】
図１３に示されるように、本発明による符号生成装置は、基本直交符号取得ユニット１３０１、ミラーユニット１３０２、列循環シフトユニット１３０３、及びグループペアのグループ取得ユニット１３０４を有する。
【０１１０】
基本直交符号取得ユニット１３０１は、上述のＷａｌｓｈ符号又はＤＦＴ符号のような基本直交符号のグループを取得するよう構成される。
【０１１１】
列循環シフトユニット１３０３は、基本直交符号取得ユニット１３０１により生成された基本直交符号に列ベクトル循環シフトを実行するよう構成される。列ベクトル循環シフトの変位は、可変である。
【０１１２】
ミラーユニット１３０２は、基本直交符号取得ユニット１３０１により生成された基本直交符号に列のミラーリングを実行して、第１の基本直交符号グループペアを得るよう構成され、更に列循環シフトユニット１３０３により循環シフトを実行された基本直交符号に列のミラーリングを実行して、第２、第３又他は更に多くの符号グループペアを得るよう構成される。
【０１１３】
グループペアのグループ取得ユニット１３０４は、列循環シフトユニット１３０３及びミラーユニット１３０２を制御して、列シリアル番号により区別可能な符号グループペアのグル―プを得るよう構成される。
【０１１４】
留意すべきことに、グループペアのグループ取得ユニット１３０４は、特定の用途では省略することができる。
【０１１５】
特定の環境では、列循環シフトユニット１３０３も省略することができる。
【０１１６】
上述の装置の種々の構成モジュール、ユニット及びサブユニットは、ソフトウェア、ファームウェア、ハードウェア又はそれらの組合せを通じて構成されてもよい。特定の設定手段又は方法は、当業者に良く知られており、ここでは繰り返されない。ソフトウェア又はファームウェアを通じた実装の場合には、ソフトウェアを構成するプログラムは、記憶媒体又はネットワークから、専用ハードウェア構造を備えたコンピュータ（例えば、図１４に示されたような汎用コンピュータ）にインストールされ、コンピュータは種々のプログラムがインストールされると種々の機能を実行できる。
【０１１７】
図１４は、本発明の実施形態による装置及び方法を実施可能なコンピュータを説明するブロック図である。
【０１１８】
図１４では、中央処理ユニット（ＣＰＵ）１４０１は、読み出し専用メモリ（ＲＯＭ）１４０２に格納されたプログラム又は記憶部１４０８からランダムアクセスメモリ（ＲＡＭ）１４０３にロードされたプログラムに従って、種々の処理を実行する。種々の処理を実行するためにＣＰＵ１４０１により要求されるデータは、必要に応じてＲＡＭ１４０３に格納される。ＣＰＵ１４０１、ＲＯＭ１４０２及びＲＡＭ１４０３は、バス１４０４を介して互いに接続される。入力／出力（Ｉ／Ｏ）インタフェース１４０５も、必要に応じてバス１４０４に接続されてもよい。
【０１１９】
必要に応じて、以下のコンポーネントがＩ／Ｏインタフェース１４０５に接続されてもよい。入力部１４０６（キーパッド、マウス等を含む）、出力部１４０７（陰極管（ＣＲＴ）及び液晶ディスプレイ（ＬＣＤ）のようなディスプレイ、並びにスピーカ等を含む）、記憶部１４０８（ハードディスク等を含む）及び通信部１４０９（ＬＡＮカードのようなネットワークインタフェースカード、モデム等を含む）。通信部１４０９は、例えば、インターネットのようなネットワークを通じた通信処理を実行する。ドライバ１４１０も、必要に応じてＩ／Ｏインタフェース１４０５に接続されてもよい。磁気ディスク、光ディスク、光磁気ディスク、半導体メモリ等のような取り外し可能な媒体１４１１は、必要に応じてドライバ１４１０に取り付けられ、そこから読み出されたコンピュータプログラムが要求に応じて記憶部１４０８にインストールされるようにしてもよい。
【０１２０】
上述の一連の処理がソフトウェアを通じて実装される場合、ソフトウェアを構成するプログラムは、インターネットのようなネットワークから又は取り外し可能な媒体１４１１のような記憶媒体からインストールされる。
【０１２１】
当業者は、記憶媒体が、プログラムを格納する図１４に示されたような取り外し可能な媒体１４１１に限定されず、装置と独立に分散され、サブスクライバにプログラムを提供するようにしてもよいことを理解するだろう。取り外し可能な媒体１４１１は、例えば、磁気ディスク（フロッピー（登録商標）ディスクを含む）、コンパクトディスク（ＣＤ−ＲＯＭ（Compact  Disk  Read  Only  Memory）及びＤＶＤ（Digital  Versatile  Disk）を含む）、光磁気ディスク（ＭＤ（Mini  Disk）（登録商標）を含む）及び半導体メモリを含む。或いは、記憶媒体は、ＲＯＭ１４０２、記憶部１４０８のハードディスク等であってもよく、プログラムはこれらの中に格納され、これらを含む装置と共にサブスクライバに配信される。
【０１２２】
本発明は、機械により読み出され実行されると、本発明の実施形態による上述の方法を実行可能な機械可読命令コードを格納するプログラムプロダクトを更に提供する。
【０１２３】
したがって、機械可読命令コードを格納するプログラムプロダクトをロードするための記憶媒体も、本発明の開示に含まれる。記憶媒体は、フロッピーディスク、光ディスク、光磁気ディスク、メモリカード、メモリスティック等を含むが、これらに限定されない。
【０１２４】
図１５は、本発明の実施形態によるＲＳ生成装置及び生成方法を実施する送信機の機能を例示的に説明するブロック図である。電源、記憶ユニット、データ生成モジュール等は、本発明の技術的ソリューションの理解には直接関連しないので、このブロック図では省略されている。
【０１２５】
図１５に示されるように、データは、チャネルエンコーディングユニット１５０１でチャネルにエンコードされ、次に変調ユニット１５０２で変調される。変調されたデータは、リソースマッピングユニット１５０３でリソースにマッピングされる。同時に、ＲＳは、ＲＳ生成ユニット１５０６により、本発明によるＲＳ生成装置又は生成方法を用いて生成され、マッピングされる。留意すべきことに、上述の説明では、ＲＳ生成装置も、リソースマッピングユニット１５０３と実質的に同じマッピングユニットを有する。つまり、データ及びＲＳは、同時にマッピングされる。したがって、物理チャネルにマッピングされたデータは、プリコーディングユニット１５０４でプリコーディングされ、ＯＦＤＭ変調ユニット１５０５でＯＦＤＭ変調され、そして次にアンテナを介して送出される。
【０１２６】
本発明の説明は、例示及び説明を目的として提供されたものであり、包括的ではなく、本発明をここに開示された形態に限定するものではない。多くの変更及び変形が、当業者に明らかである。実施形態の選択及び説明は、本発明の原理及び実際の用途をより良好に説明するためであり、当業者に本発明を理解させ、特定の使用目的に適応した種々の変形と共に種々の実施形態を設計できるようにするためである。
【図１Ａ】
0005621855.tif 000004
【図１Ｂ】
0005621855.tif 000005
【図２】
0005621855.tif 000006
【図３】
0005621855.tif 000007
【図４】
0005621855.tif 000008
【図５Ａ】
0005621855.tif 000009
【図５Ｂ】
0005621855.tif 000010
【図６】
0005621855.tif 000011
【図７】
0005621855.tif 000012
【図８】
0005621855.tif 000013
【図９】
0005621855.tif 000014
【図１０】
0005621855.tif 000015
【図１１】
0005621855.tif 000016
【図１２】
0005621855.tif 000017
【図１３】
0005621855.tif 000018
【図１４】
0005621855.tif 000019
【図１５】
0005621855.tif 000020